(57)【要約】【課題】紙束を綴じた際の保持力を確保し、また、掛かるコストを低減すること。【解決手段】Ｕ字状に折り曲げられた長板状の本体の一端側に設けられ、先端に細先部２０ａ１を有すると共に紙束６０の一方の細長孔６０ａに挿入されるオス足部２０ａと、前記本体の他端側に設けられ、前記細先部が挿入可能な第１の小孔２０ｂ１が形成されると共に前記紙束の他方の細長孔６０ｂに挿入されるメス足部２０ｂと、前記本体において前記オス足部と前記メス足部との間に設けられ、前記細先部が挿入可能な第２の小孔２０ｃ１が形成された肩部２０ｃとを有し、前記紙束の一対の細長孔の間には前記オス足部の細先部が挿入可能な第３の小孔６０ｃが穿孔され、前記紙束上に前記メス足部と前記オス足部とが順に折り重ねられ、前記細先部が前記第１の孔と前記第３の孔と前記第２の孔とに入れ込まれて前記紙束を綴じる。【選択図】図１
2015112700.tif 000002
【特許請求の範囲】
【請求項１】
紙束を貫通する一対の細長孔に挿入されて用いられ、前記紙束を綴じるステープラ用の紙針であって、
Ｕ字状に折り曲げられた長板状の本体の一端側に設けられ、先端に細先部を有すると共に前記紙束の一方の細長孔に挿入されるオス足部と、前記本体の他端側に設けられ、前記細先部が挿入可能な第１の小孔が形成されると共に前記紙束の他方の細長孔に挿入されるメス足部と、前記本体において前記オス足部と前記メス足部との間に設けられ、前記細先部が挿入可能な第２の小孔が形成された肩部とを有し、
前記紙束の一対の細長孔の間には前記オス足部の細先部が挿入可能な第３の小孔が穿孔され、前記紙束上に前記メス足部と前記オス足部とが順に折り重ねられ、前記細先部が前記第１の孔と前記第３の孔と前記第２の孔とに入れ込まれて前記紙束を綴じることを特徴とするステープラ用の紙針。
【請求項２】
前記請求項１に記載のステープラ用の紙針を用いるステープラであって、
長板状の紙針をＵ字形に折り曲げ、前記オス足部と、前記メス足部と、前記肩部とを形成する針形成部と、
前記紙束に前記一対の細長孔と、前記一対の細長孔の間の第３の小孔を穿孔して形成する穿孔部と、
前記紙束に形成された一対の細長孔に、前記紙針のオス足部とメス足部とをそれぞれ挿入する針挿入部と、
前記紙束の一対の細長孔に挿入されたメス足部とオス足部とを順に折り曲げて重ねると共に、前記紙針の第２の小孔と前記紙束の第３の小孔と前記紙針の第１の小孔との位置を合わせ、前記第１の小孔と第３の小孔と第２の小孔とに前記オス足部の細先部を入れ込む綴じ込み部とを備えることを特徴とするステープラ。
【発明の詳細な説明】
【技術分野】
【０００１】
本発明は、複数の紙（紙束）を纏めて綴じるステープラ用の紙針、及びそれを用いるステープラに関する。
【背景技術】
【０００２】
従来、紙束を綴じる際に用いられるステープラは、コの字型の金属製の細い針を紙表面から刺し、裏側の紙面から突出した脚部を内側に折り曲げることにより複数の紙を固定するものである。
しかしながら、従来の針は金属製であるため、不要になった紙の再生のために紙と金属針とを分別する場合、或いは、紙をシュレッダーにかける場合に、金属針を取り外す必要があり、作業が煩雑になるという課題がある。
【０００３】
前記課題に対し、特許文献１には、紙を素材とした針（紙針）により書類を綴じる構成のステープラが開示されている。
図９に、特許文献１に開示されたステープラの斜視図を示し、図１０（ａ）〜（ｅ）にそのステープラの動作を説明するための正面図（一部断面）を示す。
図９に示すステープラ５０においては、従来の金属針ではなく紙針が用いられる。即ち図１０（ａ）に示すように、紙針２００は、左右に延びる板状の本体部２０１と、その両端から略直角に下方に折り曲げられた脚部２０２、２０３とを有している。また、紙針２００の脚部２０２、２０３の内側面には、熱溶解性の接着剤が塗布されている。
【０００４】
ステープラ５０は、図９に示すように連続して繋がる複数の紙針２００を格納するマガジン５１と、このマガジン５１の上方に設けられ、マガジン５１の後端部を軸に回動可能に設けられた上レバー５４と、マガジン５１の下方に配置されたベース５５とを備えている。
また、前記上レバー５４の先端には、下方に突出し、紙針２００を下方に押し出すための押し板５３が設けられ、その左右両側には、書類１５０（紙束）に孔を開けるための一対のカッター５６、５７が固設され、下端側の刃がマガジン５１の下方に突出している。即ち、上レバー５４の回動に伴い、押し板５３及びカッター５６、５７が上下動するようになっている。
【０００５】
また、ベース５５において、前記押し板５３、及びカッター５６、５７に対応する位置には、受け台５８が設けられ、上レバー５４が下方に押された際、押し板５３の下端が当接するようになっている。
また、図１０（ａ）〜（ｅ）に示すように、カッター５６、５７の先端部は内側に突起しており、その上に紙針２００の脚部２０２，２０３の先端が位置しているため、カッター５６、５７が書類１５０に対して穿孔し挿通されると、紙針２００の脚部２０２，２０３も続いて孔内に挿通される構成となっている。
【０００６】
このステープラ５０により、複数枚の紙からなる書類を綴じる場合、図１０（ａ）のように書類１５０を上レバー５４とベース５５との間に配置し、ベース５５に対して上レバー５４を押し下げる。
これにより、図１０（ｂ）に示すようにカッター５６、５７が書類１５０に孔１５０ａを開け、図１０（ｃ）に示すように、その孔にカッター５６，５７によりガイドされた紙針２００の脚部２０１，２０２が挿入される。
【０００７】
紙針２００は、図１０（ｄ）のように押し板５３と受け台５８に挟まれることにより脚部２０１，２０２が折り曲げられ、受け台５８内の電熱ヒータの熱が貫通小孔を介して接着剤に伝導して接着剤が溶解し、図１０（ｅ）に示すように接着力が高められた紙針２００によって書類が綴じられる。
【先行技術文献】
【特許文献】
【０００８】
【特許文献１】特開２００２−１６８２１６号公報
【発明の概要】
【発明が解決しようとする課題】
【０００９】
ところで、特許文献１に開示されたステープラ５０にあっては、書類１５０の孔１５０ａに挿通された紙針２００の脚部２０１，２０２を内側に折り曲げ、脚部２０１，２０２を書類紙面に接着させることにより書類を綴じる構成である。
しかしながら、紙面の裏側から出た紙針２００の脚部２０１、２０２を内側に折り曲げて紙面に接着し綴じる構成にあっては、綴じる書類の枚数が多くなったときに、脚部２０１、２０２の折り曲げ部分、即ち紙面への接着部分の面積が小さくなり、保持力（強度）が著しく低下するという課題があった。
【００１０】
また、前記ステープラ５０にあっては、熱溶解性の接着剤により紙針２００の脚部２０１、２０２を接着するため、接着後、高温環境下に置かれると、再び接着剤が溶解し、紙針２００の脚部２０１，２０２が紙面から剥がれる虞があった。
また、ステープラ５０は電熱ヒータやその電源等を具備する必要があり、装置にかかるコストや維持費が嵩張るという課題があった。
【００１１】
本発明は、前記した点に着目してなされたものであり、紙束を綴じた際の保持力を確保することができ、また、掛かるコストを低減することのできるステープラ用の紙針、及びそれを用いるステープラを提供することを目的とする。
【課題を解決するための手段】
【００１２】
前記した課題を解決するために、本発明に係るステープラ用の紙針は、紙束を貫通する一対の細長孔に挿入されて用いられ、前記紙束を綴じるステープラ用の紙針であって、Ｕ字状に折り曲げられた長板状の本体の一端側に設けられ、先端に細先部を有すると共に前記紙束の一方の細長孔に挿入されるオス足部と、前記本体の他端側に設けられ、前記細先部が挿入可能な第１の小孔が形成されると共に前記紙束の他方の細長孔に挿入されるメス足部と、前記本体において前記オス足部と前記メス足部との間に設けられ、前記細先部が挿入可能な第２の小孔が形成された肩部とを有し、前記紙束の一対の細長孔の間には前記オス足部の細先部が挿入可能な第３の小孔が穿孔され、前記紙束上に前記メス足部と前記オス足部とが順に折り重ねられ、前記細先部が前記第１の孔と前記第３の孔と前記第２の孔とに入れ込まれて前記紙束を綴じることに特徴を有する。
このように構成された紙針によれば、紙面に紙針の足部を挿通して単に折り曲げるだけでなく、紙束の下面側に位置する肩部の第２の小孔と、紙束に形成された第３の小孔と、紙束の上面側に位置するメス足部の第１の小孔とに、オス足部の細先部が入れ込まれることによって紙束の上面側から下面側まで略連結された状態となる。
即ち、本発明に係る紙針によれば、紙針に接着剤を用いなくても強固に紙束を綴じることができるため、従来のように接着剤や電熱ヒータ等が必要なく、掛かるコストを低減することができる。
また、綴じる紙束の枚数が多くなったとしても、前記のように紙束の上面側から下面側までを細先部により連結することができるため、綴じた際の保持力（強度）を維持することができる。
【００１３】
また、前記した課題を解決するために、本発明に係るステープラは、長板状の紙針をＵ字形に折り曲げ、前記オス足部と、前記メス足部と、前記肩部とを形成する針形成部と、前記紙束に前記一対の細長孔と、前記一対の細長孔の間の第３の小孔を穿孔して形成する穿孔部と、前記紙束に形成された一対の細長孔に、前記紙針のオス足部とメス足部とをそれぞれ挿入する針挿入部と、前記紙束の一対の細長孔に挿入されたメス足部とオス足部とを順に折り曲げて重ねると共に、前記紙針の第２の小孔と前記紙束の第３の小孔と前記紙針の第１の小孔との位置を合わせ、前記第１の小孔と第３の小孔と第２の小孔とに前記オス足部の細先部を入れ込む綴じ込み部とを備えることに特徴を有する。
このように構成されたステープラによれば、前記紙針を用い、紙面に紙針の足部を挿通して単に折り曲げるだけでなく、紙束の下面側に位置する肩部の第２の小孔と、紙束の第３の小孔と、紙束の上面側に位置するメス足部の第１の小孔とに、オス足部の細先部を入れ込んで紙束の上面側から下面側までを連結させることができる。
【発明の効果】
【００１４】
本発明によれば、紙束を綴じた際の保持力を確保することができ、また、掛かるコストを低減することができる。
【図面の簡単な説明】
【００１５】
【図１】図１（ａ）、（ｂ）は、本発明に係るステープラ用の紙針の斜視図である。
【図２】図２（ａ）、（ｂ）は、図１の紙針の使用形態を示す斜視図である。
【図３】図３は、本発明に係るステープラの斜視図である。
【図４】図４（ａ）〜（ｅ）は、針形成部を前側から見た模式的な断面図であって、針形成部の各動作状態を示す図である。
【図５】図５は、穿孔部の一部を示す斜視図である。
【図６】図６（ａ）〜（ｅ）は、穿孔部をステープラの左側から見た模式的な側面図であって、穿孔部の各動作状態を示す図である。
【図７】図７（ａ）〜（ｃ）は、針挿入部の構造を模式的に示した側面図であって、針挿入部の各動作状態を示す図である。
【図８】図８（ａ）〜（ｅ）は、綴じ込み部の構成を模式的に示す正面図（一部断面）であって、綴じ込み部の各動作状態を示す図である。
【図９】図９は、従来の紙針を用いたステープラの斜視図である。
【図１０】図１０（ａ）〜（ｅ）は、図９のステープラの正面図であって、各動作状態を示す図である。
【発明を実施するための形態】
【００１６】
以下、本発明に係るステープラ用の紙針、及びそれを用いるステープラの実施の形態を図面に基づき説明する。図１（ａ）、（ｂ）は、本発明に係るステープラ用の紙針の斜視図であり、図２（ａ）、（ｂ）は、その紙針の使用形態を示す斜視図である。
図１（ａ）に示す紙針２０は、使用前の状態においては、所定厚さの厚紙からなる長板状の針である。図示するように紙針２０は、その長手方向に３つのエリアに分けられる。
具体的には、紙針２０は、紙針本体の一端側に設けられたオス足部２０ａと、他端側に設けられたメス足部２０ｂと、それらの間に設けられた肩部２０ｃとからなる。前記オス足部２０ａは、図示するように先端に細先部２０ａ１を有し、メス足部２０ｂと肩部２０ｃには、その略中央の位置に円形の小孔２０ｂ１（第１の小孔）と、小孔２０ｃ１（第２の小孔）とがそれぞれ設けられている。
【００１７】
また、紙針２０は、使用される際には、図１（ｂ）に示すように、オス足部２０ａとメス足部２０ｂとが肩部２０ｃに対して略直角となるようにＵ字状に折り曲げられ、それらが綴じるべき紙束に形成された一対の細長孔に挿入されて用いられる。
より具体的に説明すると、図２（ａ）に示すように、紙束である書類６０には、紙針２０のオス足部２０ａが挿入可能な細長孔６０ａと、メス足部２０ｂが挿入可能な細長孔６０ｂと、それら細長孔６０ａ，６０ｂの間に位置し、紙針２０の細先部２０ａ１が挿入可能な小孔６０ｃ（第３の小孔）とが形成される。
【００１８】
そして、図示するように書類６０の下面側から、前記細長孔６０ａ、６０ｂに、それぞれ紙針２０のオス足部２０ａとメス足部２０ｂとが挿入され、書類６０の上面側において上方に突出した状態となされる。また、このとき、書類６０の小孔６０ｃの位置と紙針２０の小孔２０ｃ１の位置が合った状態となる。
さらに、図２（ｂ）に示すように、先にメス足部２０ｂを内側に折り曲げ、小孔２０ｂ１と小孔６０ｃとの位置を合わせた状態で、その上からオス足部２０ａを内側に折り曲げ、細先部２０ａ１を縦に重なる３つの小孔２０ｂ１、６０ｃ、２０ｃ１に入れ込むことにより書類６０が綴じられる。
【００１９】
このように本発明に係る紙針２０にあっては、紙面に紙針２０の足部を挿通して単に折り曲げるだけでなく、書類６０の下面側に位置する肩部２０ｃの小孔２０ｃ１と、書類６０の小孔６０ｃと、書類６０の上面側に位置するメス足部２０ｂの小孔２０ｂ１とに、オス足部２０ａの細先部２０ａ１が入れ込まれることによって書類６０の上面側から下面側までが略連結された状態となる。
即ち、本発明に係る紙針によれば、紙針に接着剤を用いなくても強固に紙束を綴じることができる。
また、綴じる書類の枚数が増えても、前記のように書類６０の上面側から下面側までを細先部２０ａ１によって連結することができるため、綴じた際の保持力（強度）を維持することができる。
尚、書類枚数が増えても対応できるように、紙針２０のメス足部２０ｂに設ける小孔２０ｂ１の形状は、紙針２０の長手方向に沿って延びる長円形に形成しておくことが望ましく、それにより、紙針２０を折り畳んだ際に小孔２０ｂ１と小孔６０ｃと小孔２０ｂ１とが厚さ方向に連通する状態とすることができる。また、オス足部２０ａに設ける細先部２０ａ１の長さは、少なくとも書類の厚さ分の長さを有するように予め長めに形成しておけばよい。
【００２０】
続いて、前記のように紙針２０を用いて書類６０を綴じる機能を有するステープラの構成について図３を用いて説明する。図３は、本発明に係るステープラの斜視図である。
尚、以下の説明において、図３に示すｘ方向を左右方向とし、ｙ正方向を前側とし、ｙ負方向を後側とする。
図示するステープラ１は、前記した紙針２０をＵ字形に折り曲げ、図１（ｂ）に示した形態に成形するための針形成部２と、前記書類６０に前記一対の細長孔６０ａ、５０ｂ、及び小孔６０ｃを形成するための穿孔部３とを備えている。
さらに、前記書類６０の細長孔６０ａ、６０ｂに紙針２０のオス足部２０ａとメス足部２０ｂとを図２（ａ）のように下側から挿入させる針挿入部４と、図２（ａ）の状態から図２（ｂ）のようにメス足部２０ｂとオス足部２０ａとを折り畳んで綴じるための綴じ込み部５とを備えている。
【００２１】
続いて前記各部の構成について順に説明する。
最初に、前記針形成部２は、図３に示すように、前後方向（ｙ方向）に延びるレール台１１と、レール台１１の上に左右対称に設けられた一対のサイドブロック１２、１３と、前記サイドブロック１２、１３の間において、前後方向に所定の間隔を空けて配置された前部ブロック１４と後部ブロック１５とを有する。また、レール台１１上において、前記サイドブロック１２、１３と前部ブロック１４と、後部ブロック１５とにより囲まれた略直方体状の空間が針形成孔６とされる。
また、針形成部２は、前記針形成孔６の上に、この針形成孔６を跨ぐように載置された直板状の紙針２０（図１（ａ）参照）を上方から孔内に押し込むための角棒状の押し込み棒８と、この押し込み棒８を昇降移動させるための第１のレバーハンドル９とを有する。前記押し込み棒８の先端側は、左右両端に下方に突出する爪部８ａ、８ｂが形成されている。
【００２２】
図４を用いて、この針形成部２の動作について説明する。図４（ａ）〜（ｅ）は、針形成部２を前側から見た模式的な断面図であって、それぞれ針形成部２の各動作状態を示している。
先ず、図４（ａ）に示すように、押し込み棒８を上方に配置した状態で、紙針２０を針形成孔６上に載置する。このとき、例えば前側から見て、板状の紙針２０のオス足部２０ａが右側のサイドブロック１３上に配置し、メス足部２０ｂが左側のサイドブロック１４上に配置する。これにより、針形成孔６は、紙針２０の肩部２０ｃに覆われた状態となる。
【００２３】
次いで、図１に示したレバーハンドル９を押し下げると、図４（ｂ）に示すように押し込み棒８が下降開始する。
押し込み棒８の先端の爪部８ａ，８ｂが紙針２０に当接し、押し込み棒８がさらに押し下げられると、図４（ｃ）に示すように紙針２０は、前記爪部８ａ，８ｂの当接部分（即ち、オス足部２０ａと肩部２０ｃとの境目、メス足部２０ｂと肩部２０ｃとの境目）から折れ曲げられながら、針形成孔６内に挿入される。
そして、図４（ｄ）に示すようにＵ字形に折り曲げられた紙針２０の肩部２０ｃが針形成孔６の底（レール台１１）に達すると、紙針２０の折り曲げ部分が押し込み棒８の爪部８ａ、８ｂによって型押しされ、Ｕ字の角が形成される。
また、図４（ｄ）の状態からレバーハンドル９を操作して押し込み棒８を上げると、図４（ｅ）に示すように針形成孔６内にＵ字形の紙針２０が形成される。
【００２４】
続いて、穿孔部３について図５、図６を加えて説明する。図５は、穿孔部３の一部を示す斜視図である。図６（ａ）〜（ｅ）は、穿孔部３をステープラ１の左側から見た模式的な側面図であって、それぞれ穿孔部３の各動作状態を示している。
穿孔部３は、図５に示すように前記針形成部２の押し込み棒８よりも後側において、下端側に斜めの刃を持つ左右一対に平行に設けられた板状カッター２２ａ、２２ｂと、前記一対のカッター２２ａ，２２ｂの間に設けられ、下端に円形の刃を持つ円筒状のカッター２２ｃとを有する。
前記板状カッター２２ａ，２２ｂ及び円筒状カッター２２ｃは、図３に示した第２のレバー１６の操作によって昇降可能に構成されている。尚、第２のレバー１６は、スプリング１９によって前記カッター２２ａ，２２ｂ，２２ｃが上昇する方向に付勢されている。
また、図５に示すように後部ブロック１５の上面側には、前記板状カッター２２ａ，２２ｂ、及び円筒状カッター２２ｃに形状が対応し、前記カッターの先端部分が挿入可能な孔１７ａ，１７ｂ，１７ｃが設けられている。
【００２５】
この穿孔部３により書類６０に対し孔６０ａ、６０ｂ、６０ｃを開ける場合、先ず図６（ａ）に示すように書類６０の先端側が後部ブロック１５の前部上面に被さるように書類６０を載置する。
書類６０を載置すると、第２のレバー１６を押し下げて板状カッター２２ａ，２２ｂ及び円筒状カッター２２ｃを降下させる。これにより図６（ｂ）に示すようにカッター２２ａ，２２ｂ，２２ｃの先端が書類６０に穿孔し、図６（ｃ）に示すようにカッター２２ａ，２２ｂ，２２ｃが引き上げられると、細長孔６０ａ、６０ｂ、及び小孔６０ｃが形成される。
【００２６】
書類６０に細長孔６０ａ，６０ｂが形成されると、針挿入部４により、図６（ｃ）、図６（ｄ）に示すように、前部ブロック１４、及び後部ブロック１５がレール部材１１上を後方に移動され、針形成孔６中の紙針２０が書類６０の孔６０ａ、６０ｂ、６０ｃの直下に配置される。また、前記ブロック１４、１５の移動により、針形成孔６の底部に、針形成孔６内を昇降可能な押し上げブロック２１が配置される。
次いで、図６（ｅ）に示すように、押し上げブロック２１が上昇され、針形成孔６内で紙針２０を押し上げ、それにより、オス足部２０ａとメス足部２０ｂとを書類６０の細長孔６０ａ、６０ｂにそれぞれ下側から挿通させる。
【００２７】
尚、前記針挿入部４の機構は、例えば図７に示すような機構により実現することができる。図７（ａ）〜（ｃ）は、針挿入部４の構造を模式的に示した側面図であって、時系列に動作状態を示している。
図７（ａ）〜（ｃ）に示すように、前記押し上げブロック２１は、支持部材２３により支持され、この支持部材２３は、上下方向に伸縮し上方に付勢するスプリング２４によって保持されている。スプリング２４はバネ受け台２５によって直立状態となされている。
【００２８】
また、後部ブロック１５の後端側（図面左側）には支持軸２６が設けられ、この支持軸２６には第３のレバー２２の後端部が回動自在に連結されている。また、前記第３のレバー２２の先端側は、前記支持部材２３の上に（分離自在に）載せられた状態となっている。
さらに、後部ブロック１５の後方には、バネ受け台２７が設けられ、このバネ受け台２７と後部ブロック１５との間に略水平に伸縮可能なスプリング２８が設けられている。後部ブロック１５は、前記スプリング２８によって前方（図面右側）に付勢されている。
【００２９】
このような構成において、先ず図７（ａ）に示すように針形成孔６に紙針２０が収容された状態で、押し上げブロック２１の上端が後部ブロック１５の下面に当接しており、押し上げブロック２１の下のスプリング２４は圧縮されている。また、後部ブロック１５の先端側のスプリング２８は略伸長した状態である。
この状態から、図７（ｂ）に示すように第３のレバー２２を後方（図面左側）に押すと、支持軸２６を介して後ろ向きの外力が後部ブロック１５に伝わり、前部ブロック１４、後部１５、及び針形成孔６中の紙針２０が連動してレール部材１１上を後方に移動する。また、スプリング２８は後部ブロック１５によって圧縮される。
そして、図７（ｃ）に示すように、前記レール部材１１状の移動により、針形成孔６の底面が、レール部材１１の上面から押し上げブロック２１の上面に切り替わると、スプリング２４が伸長し、押し上げブロック２１が針形成孔６に下方から挿入され、紙針２０を押し上げることとなる。
【００３０】
このようにして紙針２０が押し上げられ、図６（ｅ）のように書類６０の下面側から上面側に紙針２０のオス足部２０ａとメス足部２０ｂとが挿通されると、綴じ込み部５により紙針２０を綴じる処理が行われる。
図８（ａ）〜（ｅ）は、綴じ込み部５の構成を模式的に示す正面図（一部断面）であって、各動作状態を示している。
綴じ込み部５は、第４のレバー１８（図３参照）と、この第４のレバー１８によって支持軸３１を軸に回動可能な第１リンク部材３２とを有する。前記第１リンク部材３２上には、細い棒状のピン３３が設けられ、第１リンク部材３２が回動することによって、ピン３３の先端部が押し上げブロック２１の上面中央に設けられた孔２１ａ（図８参照）に挿入可能となっている。
【００３１】
また、第１リンク部材３２には第２リンク部材３４の一端が回転自在に連結され、第２リンク部材３４の他端は水平方向に長い平板状の第１手部３５の後端側を支持する支持部材３６が回動自在に連結されている。
また、前記支持部材３６に支持された第１手部３５は、位置固定されたガイド部材３７に沿って水平方向に移動可能とされ、その先端側が押し上げブロック２１の直上位置に進退自在となされている。
【００３２】
また、押し上げブロック２１上の紙針２０を間に挟み、前記第１手部３５と相対向するように水平方向に長い平板状の第２手部３８が設けられている。この第２手部３８は、サイドブロック１２の上方に配置されたサイドレール部材４０のレール４０ａに沿って水平方向に移動可能とされ、その先端側が押し上げブロック２１の直上位置に進退自在となされている。
また、前記第２手部３８の後端側はブロック状の支持部材３９に支持され、支持部材３９とサイドレール部材４０との間にはスプリング４１が設けられ、支持部材３９（第２手部３８）を押し上げブロック２１から離す方向に付勢している。
【００３３】
また、前記第４のレバー１８の支持軸３１と前記第２手部３８を支持する支持部材３９とは、図示しないリンク機構により連結されている。第４のレバー１８の操作により第１手部３５を押し上げブロック２１の直上位置に前進させると、それに連動して第２手部３８の先端側も押し上げブロック２１の直上位置に前進し、第１手部３５が最も前進する直前に第２手部３８がスプリング４１の付勢力により後退するように構成されている。
【００３４】
具体的に綴じ込み動作を説明すると、図８（ａ）に示すように、書類６０の細長孔６０ａ、６０ｂに紙針２０のオス足部２０ａとメス足部２０ｂとを挿入した状態から、図８（ｂ）に示すように第４のレバー１８を操作して第１リンク部材３２を（正面からみて反時計回りに）回動させる。
それにより図８（ｂ）に示すように、第１手部３５と第２手部３８とが紙針２０に向かって前進し、先に第２手部３８の先端がメス足部２０ｂに外側から当接し、内側に押し倒す。
【００３５】
さらに第１リンク部材３２を回動させると、図８（ｃ）に示すように、第１手部３５の先端がオス足部２０ａに外側から当接し、内側に押し倒す。即ち、内側に折られたメス足部２０ｂの上にオス足部２０ａが重ねられる。
そして、第１リンク部材３２を完全に回動させる直前に第２手部３８は後退し、第１リンク部材３２を完全に回動させると、第１リンク部材３２に設けられたピン３３がオス足部２０ａの細先部２０ａ１に当接し、この細先部２０ａ１を縦に重なる小孔２０ｂ１、６０ｃ、２０ｃ１に順に入れ込むことにより書類６０が連結されて綴じられる。
【００３６】
以上のように、本発明に係るステープラ１によれば、前記紙針２０を用い、紙面に紙針２０の足部を挿通して単に折り曲げるだけでなく、書類６０の下面側に位置する肩部２０ｃの小孔２０ｃ１と、書類６０の小孔６０ｃと、書類６０の上面側に位置するメス足部２０ｂの小孔２０ｂ１とに、オス足部２０ａの細先部２０ａ１を入れ込んで書類６０の上面側から下面側までを連結させることができる。
【００３７】
尚、本発明に係る紙針２０を綴じるためのステープラ１の構成は、前記実施の形態に示した構成に限定されるものではなく、前記した針形成部２と穿孔部３と針挿入部４と綴じ込み部５の夫々と同等の機能を有するものであればよい。
【符号の説明】
【００３８】
１          ステープラ
２          針形成部
３          穿孔部
４          針挿入部
５          綴じ込み部
６          針形成孔
８          押し込み棒
９          第１のレバーハンドル
１１          レール台
１２          サイドブロック
１３          サイドブロック
１４          前部ブロック
１５          後部ブロック
１６          第２のレバー
１８          第４のレバー
２０          紙針
２０ａ        オス足部
２０ａ１      細先部
２０ｂ        メス足部
２０ｂ１      小孔（第１の小孔）
２０ｃ        肩部
２０ｃ１      小孔（第２の小孔）
２１          押し上げブロック
２２          第３のレバー
６０          書類（紙束）
６０ａ        細長孔
６０ｂ        細長孔
６０ｃ        小孔（第３の小孔）
【図１】
2015112700.tif 000003
【図２】
2015112700.tif 000004
【図３】
2015112700.tif 000005
【図４】
2015112700.tif 000006
【図５】
2015112700.tif 000007
【図６】
2015112700.tif 000008
【図７】
2015112700.tif 000009
【図８】
2015112700.tif 000010
【図９】
2015112700.tif 000011
【図１０】
2015112700.tif 000012